(57)【要約】【課題】側面から空気を吸入して熱交換した後に天面から空気を吹き出すタイプの冷凍装置の室外ユニットにおいて、室外ユニットの組立性を向上させる。【解決手段】室外ユニット１０１は、ケーシング１０２と、熱交換器１０９と、天板１０７と、送風ファン１０８と、バイパス防止板１１３とを備えている。バイパス防止板１１３は、空気吸入口１１０、１１１から吸入された空気が熱交換器１０９の上側の空間から空気吹出口１１２にバイパスすることがないように前記天板１０７に一体に形成されている。バイパス防止板１１３は、天板１０７がケーシング１０２に対してどの向きに装着されても、熱交換器１０９の形状に対応するように形成されている。【選択図】　　　図３
2004116835.tif 000002
【特許請求の範囲】
【請求項１】
側面から空気を吸入して熱交換した後に天面から空気を吹き出すタイプの冷凍装置の室外ユニット（１０１、２０１）であって、
側面に空気吸入口を有するケーシング（１０２、２０２）と、
前記空気吸入口に対向するように前記ケーシング内に配置されて前記空気吸入口から吸入された空気と熱交換する熱交換器（１０９、２０９）と、
上方に向く空気吹出口（１１２、２１２）を有し、前記ケーシングの上部を覆うように装着される天板（１０７、２０７）と、
前記空気吹出口に対応するように配置され、前記熱交換器で熱交換された空気を前記空気吹出口から吹き出す送風ファン（１０８、２０８）と、
前記空気吸入口から吸入された空気が前記熱交換器の上側の空間から前記空気吹出口にバイパスすることがないように前記天板に一体に形成されたバイパス防止板（１１３、２１３）とを備え、
前記バイパス防止板は、前記天板が前記ケーシングに対してどの向きに装着されても、前記熱交換器の形状に対応するように形成されている、
冷凍装置の室外ユニット（１０１、２０１）。
【請求項２】
側面から空気を吸入して熱交換した後に天面から空気を吹き出すタイプの冷凍装置の室外ユニット（１０１、２０１）であって、
平面視において略長方形状であり、側面に空気吸入口（１１０、１１１、２１０、２１１）を有するケーシング（１０２、２０２）と、
前記空気吸入口に対向するように前記ケーシング内に配置されて前記空気吸入口から吸入された空気と熱交換する熱交換器（１０９、２０９）と、
平面視において略長方形状であり、上方に向く空気吹出口（１１２、２１２）を有し、前記ケーシングの上部を覆うように装着される天板（１０７、２０７）と、
前記空気吹出口に対応するように配置され、前記熱交換器で熱交換された空気を前記空気吹出口から吹き出す送風ファン（１０８、２０８）と、
前記空気吸入口から吸入された空気が前記熱交換器の上側の空間から前記空気吹出口にバイパスすることがないように前記天板に一体に形成された第１バイパス防止板（１１３ａ、２１３ａ）と、
前記天板の平面視における中心に対して、前記第１バイパス防止板と点対称の形状を有する第２バイパス防止板（１１３ｂ、２１３ｂ）と、
を備えた冷凍装置の室外ユニット（１０１、２０１）。
【請求項３】
側面から空気を吸入して熱交換した後に天面から空気を吹き出すタイプの冷凍装置の室外ユニット（１０１、２０１）であって、
平面視において略長方形状であり、３つの側面に空気吸入口（１１２、２１２）を有するケーシング（１０２、２０２）と、
平面視において前記空気吸入口に沿うような略Ｕ字形状を有し、前記ケーシング内に配置されて前記空気吸入口から吸入された空気と熱交換する熱交換器（１０９、２０９）と、
上方に向く空気吹出口（１１２、２１２）を有し、前記ケーシングの上部を覆うように装着される天板（１０７、２０７）と、
前記空気吹出口に対応するように配置され、前記熱交換器で熱交換された空気を前記空気吹出口から吹き出す送風ファン（１０８、２０８）と、
前記空気吸入口から吸入された空気が前記熱交換器の上側の空間から前記空気吹出口にバイパスすることがないように前記天板に一体に形成されたバイパス防止板（１１３、２１３）とを備え、
前記バイパス防止板は、平面視において前記天板が前記ケーシングの第１方向に装着された場合の前記熱交換器の形状に対応する第１バイパス防止板（１１３ａ、２１３ａ）と、前記第１方向から１８０度回転させた第２方向に装着された場合の前記熱交換器の形状に対応する第２バイパス防止板（１１３ｂ、２１３ｂ）とを有している、
冷凍装置の室外ユニット（１０１、２０１）。
【請求項４】
前記バイパス防止板（１１３、２１３）は、側面視において前記熱交換器（１０９、２０９）の上端部に重なることがないように形成されている、請求項１〜３のいずれかに記載の冷凍装置の室外ユニット（１０１、２０１）。
【発明の詳細な説明】
【０００１】
【発明の属する技術分野】
本発明は、冷凍装置の室外ユニット、特に、側面から空気を吸入して熱交換した後に天面から空気を吹き出すタイプの冷凍装置の室外ユニットに関する。
【０００２】
【従来の技術】
従来の冷凍装置の室外ユニットの一つとして、側面から空気を吸入して熱交換した後に天面から空気を吹き出すタイプの室外ユニットがある。このような室外ユニットは、前板と後板と１対の側板と底板とからなるケーシングと、ケーシングの上部を覆うように装着された天板とからなる略直方体形状のケーシングを有しており、その内部に、送風ファン、熱交換器等の機器が配置されている。１対の側板及び後板には空気吸入口が設けられており、天板には上方に向く空気吹出口が設けられている。熱交換器は、空気吸入口から吸入された空気と熱交換するための機器であり、空気吸入口に対向するようにケーシング内に配置されている。送風ファンは、熱交換器で熱交換された空気を空気吹出口から吹き出すための機器であり、空気吹出口に対応するように配置されている。
【０００３】
このような室外ユニットでは、送風ファンを運転することによって、空気吸入口から室外空気をケーシング内に吸入し、吸入された空気を熱交換器の内部を流れる冷媒と熱交換させた後、空気を空気吹出口から吹き出すようになっている（例えば、特許文献１参照。）。
【０００４】
【特許文献１】
特開平８−１２８６７８号公報（第３頁、第１−２図）
【０００５】
【発明が解決しようとする課題】
上記従来の室外ユニットは、例えば、図１及び図２に示すように、空気吸入口から吸入された空気が熱交換器の上側の空間から空気吹出口にバイパスしないように天板に一体に形成されたバイパス防止板を有している。ここで、図１は従来の室外ユニット１の正面図である。図２は室外ユニット１の平面図であり、ユニットの底部に配置された機器等の図示を省略している。尚、図１に図示された室外ユニット１の上部の破断面は、図２のＡ−Ａ断面図である。
【０００６】
室外ユニット１は、前板３と後板４と１対の側板５と底板６とからなるケーシング２と、ケーシング２の上部を覆うように装着された天板７とからなる略直方体形状のケーシングを有しており、その内部に、送風ファン８、熱交換器９等の機器が配置されている。１対の側板５及び後板４には空気吸入口１０、１１が設けられており、天板７には上方に向く空気吹出口１２が設けられている。熱交換器９は、空気吸入口１０、１１から吸入された空気と熱交換するための機器であり、空気吸入口１０、１１に対向するようにケーシング２内に配置されている。熱交換器９は、その平面視が空気吸入口１０、１１に沿うような略Ｕ字形状を有している。送風ファン８は、熱交換器９で熱交換された空気を空気吹出口１２から吹き出すための機器であり、空気吹出口１２に対応するように配置されている。そして、バイパス防止板１３は、平面視において、熱交換器９の外周縁の形状に対応する形状を有している。このように、空気吸入口１０、１１から吸入された空気は、熱交換器９の上側の空間から空気吹出口１２にバイパスしないようになっている。
【０００７】
しかし、天板７とケーシング２とは、その平面視が長方形状であるため、天板７をケーシング２に装着する際に、天板７の前後方向を識別できるようにしておかなければ、装着方向を誤って装着する場合がある。仮に、天板７の前後方向を誤ってケーシング２に装着した場合、バイパス防止板１３が熱交換器の形状に対応しない配置になり（図２の２点鎖線で示したバイパス防止板１３を参照）、その結果、バイパス防止板１３が熱交換器９のバイパス防止機能を果たさなくなる。このような状況が生じないように、この例の室外ユニット１では、空気吹出口１２の平面視における中心Ｏを天板７の中心Ｐからずらして配置する等のように天板がケーシングに装着できないように構造上の工夫を施したり、天板７の前後を示す識別標識を付す等の工夫を行って、天板７のケーシング２への誤組を防いでいる。このため、天板７のケーシング２への装着方向が制限されている。
【０００８】
このように、バイパス防止板の存在により、天板のケーシングへの装着方向が制限されると、室外ユニットの組立性が悪くなる。また、大型の室外ユニットを設計する場合に天板を複数の部材に分割することがあるが、この場合においても、バイパス防止板の存在によって分割された複数の部材の装着方向が制限されるため、組立性が悪くなる。さらに、複数の形状の異なる部材が生じるため、各部材の加工等の手間が増えてしまう。
【０００９】
本発明の課題は、側面から空気を吸入して熱交換した後に天面から空気を吹き出すタイプの冷凍装置の室外ユニットにおいて、室外ユニットの組立性を向上させることにある。
【００１０】
【課題を解決するための手段】
請求項１に記載の冷凍装置の室外ユニットは、側面から空気を吸入して熱交換した後に天面から空気を吹き出すタイプの冷凍装置の室外ユニットであって、ケーシングと、熱交換器と、天板と、送風ファンと、バイパス防止板とを備えている。ケーシングは、側面に空気吸入口を有している。熱交換器は、空気吸入口に対向するようにケーシング内に配置されて空気吸入口から吸入された空気と熱交換する。天板は、上方に向く空気吹出口を有し、ケーシングの上部を覆うように装着されている。送風ファンは、空気吹出口に対応するように配置され、熱交換器で熱交換された空気を空気吹出口から吹き出す。バイパス防止板は、空気吸入口から吸入された空気が熱交換器の上側の空間から空気吹出口にバイパスすることがないように前記天板に一体に形成されている。バイパス防止板は、天板がケーシングに対してどの向きに装着されても、熱交換器の形状に対応するように形成されている。
【００１１】
この冷凍装置の室外ユニットでは、天板をケーシングに対してどの向きにも装着しても、バイパス防止板が熱交換器の形状に対応するように形成されており、熱交換器のバイパス防止機能を果たすことができるため、天板のケーシングに対する装着方向の制限がなくなり、室外ユニットの組立性が向上する。
請求項２に記載の冷凍装置の室外ユニットは、側面から空気を吸入して熱交換した後に天面から空気を吹き出すタイプの冷凍装置の室外ユニットであって、ケーシングと、熱交換器と、天板と、送風ファンと、第１バイパス防止板と、第２バイパス防止板とを備えている。ケーシングは、平面視において略長方形状であり、側面に空気吸入口を有している。熱交換器は、空気吸入口に対向するようにケーシング内に配置されて空気吸入口から吸入された空気と熱交換する。天板は、平面視において略長方形状であり、上方に向く空気吹出口を有し、ケーシングの上部を覆うように装着されている。送風ファンは、空気吹出口に対応するように配置され、熱交換器で熱交換された空気を空気吹出口から吹き出す。第１バイパス防止板は、空気吸入口から吸入された空気が熱交換器の上側の空間から空気吹出口にバイパスすることがないように天板に一体に形成されている。第２バイパス防止板は、天板の平面視における中心に対して、第１バイパス防止板と点対称の形状を有している。
【００１２】
この冷凍装置の室外ユニットでは、平面視が略長方形状の天板及びケーシングを備えており、平面視において第１バイパス防止板と天板の中心に対して点対称の形状の第２バイパス防止板を備えているため、天板を平面視において反転させて、ケーシングに装着しても、バイパス防止板が熱交換器のバイパス防止機能を果たすことができるようになっている。これにより、天板の装着方向の制限がなくなり、室外ユニットの組立性が向上する。
【００１３】
請求項３に記載の冷凍装置の室外ユニットは、側面から空気を吸入して熱交換した後に天面から空気を吹き出すタイプの冷凍装置の室外ユニットであって、ケーシングと、熱交換器と、天板と、送風ファンと、バイパス防止板とを備えている。ケーシングは、平面視において略長方形状であり、３つの側面に空気吸入口を有している。熱交換器は、平面視において空気吸入口に沿うような略Ｕ字形状を有し、ケーシング内に配置されて空気吸入口から吸入された空気と熱交換する。天板は、上方に向く空気吹出口を有し、ケーシングの上部を覆うように装着されている。送風ファンは、空気吹出口に対応するように配置され、熱交換器で熱交換された空気を空気吹出口から吹き出す。バイパス防止板は、空気吸入口から吸入された空気が熱交換器の上側の空間から空気吹出口にバイパスすることがないように天板に一体に形成されている。バイパス防止板は、平面視において天板がケーシングの第１方向に装着された場合の熱交換器の形状に対応する第１バイパス防止板と、第１方向から１８０度回転させた第２方向に装着された場合の熱交換器の形状に対応する第２バイパス防止板とを有している。
【００１４】
この冷凍装置の室外ユニットでは、平面視が略長方形状の天板及びケーシングを備えており、天板を平面視において第１方向に対して１８０度回転させて、ケーシングに装着しても、バイパス防止板が熱交換器の形状に対応するように形成されており、熱交換器のバイパス防止機能を果たすことができるため、天板の装着方向の制限がなくなり、室外ユニットの組立性が向上する。
【００１５】
請求項４に記載の冷凍装置の室外ユニットは、請求項１〜３のいずれかにおいて、バイパス防止板は、側面視において熱交換器の上端部に重なることがないように形成されている。
この冷凍装置の室外ユニットでは、バイパス防止板が側面視において熱交換器の上端部に重なることがないように形成されているため、天板をケーシングに対してどの向きに装着しても、バイパス防止板と熱交換器とが上下方向に干渉することがない。
【００１６】
【発明の実施の形態】
以下、本発明にかかる冷凍装置の室外ユニットについて、図面に基づいて説明する。
［第１実施形態］
本発明の第１実施形態にかかる室外ユニット１０１は、天板の構造及びケーシングの平面視の形状が横長の略長方形状をしている点を除いて、図１に示す従来例の室外ユニット１の構造と基本的には同じである。以下、本実施形態の室外ユニット１０１について、従来例との相違点のみについて説明する。
【００１７】
図３は、室外ユニット１０１の平面図であり、ユニットの底部に配置された機器等の図示を省略している。室外ユニット１０１は、前板１０３と後板１０４と１対の側板１０５と底板１０６とからなるケーシング１０２と、ケーシング１０２の上部を覆うように装着された天板１０７とを有しており、その内部に、送風ファン１０８、熱交換器１０９等の機器が配置されている。ここで、天板１０７及びケーシング１０２の平面視における中心を中心Ｑとする。
【００１８】
１対の側板１０５及び後板１０６には空気吸入口１１０、１１１が設けられており、天板１０７には上方に向く空気吹出口１１２が設けられている。空気吹出口１１２は、中心Ｑを中心とした円形の開口である。
熱交換器１０９は、空気吸入口１１０、１１１から吸入された空気と熱交換するための機器であり、空気吸入口１１０、１１１に対向するようにケーシング１０２内に配置されている。熱交換器１０９は、その平面視が空気吸入口１１０、１１１に沿うような略Ｕ字形状を有している。具体的には、熱交換器１０９は、平面視において、左右非対称のＵ字形状である。
【００１９】
送風ファンは、熱交換器１０９で熱交換された空気を空気吹出口１１２から吹き出すための機器であり、空気吹出口１１２に対応するように配置されている。天板１０７は、さらに、空気吸入口１１０、１１１から吸入された空気が熱交換器１０９の上側の空間から空気吹出口１１２にバイパスすることがないようにするためのバイパス防止板１１３が形成されている。天板１０７及びバイパス防止板１１３は樹脂製であり、バイパス防止板１１３は天板１０７と一体に成形されている。
【００２０】
バイパス防止板１１３は、平面視において、熱交換器１０９の形状に対応する形状を有している。具体的には、バイパス防止板１１３は、熱交換器１０９の１対の側板１０５に対向する部分の外周縁の形状に沿って、左右２つの部分に分かれて形成された第１バイパス防止板１１３ａと、天板１０７の平面視において第１バイパス防止板１１３ａと中心Ｑに対して点対称の形状を有する第２バイパス防止板１１３ｂとを有している。また、バイパス防止板１１３は、図４に示すように、側面視において、熱交換器１０９の上端部に重なることがないように形成されている。これにより、天板１０７をケーシング１０２に対して、１８０度回転させて装着した場合であっても、第２バイパス防止板１１３ｂが熱交換器１０９の１対の側板１０５に対向する部分の外周縁の形状に沿って配置されるようになっている。すなわち、バイパス防止板１１３は、天板１０７をケーシング１０２に対して前後いずれの方向に装着した場合であっても、熱交換器１０９のバイパス防止機能を果たすことが可能である。尚、本実施形態において、熱交換器１０９が後板１０４に近接するように配置されているため、バイパス防止板１１３の後板１０４に対応する部分は、省略されている。
【００２１】
このように、室外ユニット１０１では、天板１０７をケーシング１０２に対して前後いずれの方向に装着しても、バイパス防止板１１３が熱交換器１０９の形状に対応するように形成されており、熱交換器１０９のバイパス防止機能を果たすことができる。これにより、天板１０７のケーシング１０２に対する装着方向の制限がなくなり、室外ユニット１０１の組立性が向上する。
【００２２】
［第２実施形態］
本発明の第２実施形態にかかる室外ユニット２０１は、天板を分割構造にしている点を除いて、第１実施形態の室外ユニット１０１の構造と基本的には同じである。以下、本実施形態の室外ユニット２０１について、第１実施形態との相違点のみについて説明する。
【００２３】
図５は、室外ユニット２０１の平面図であり、送風ファン及びユニットの底部に配置された機器等の図示を省略している。室外ユニット２０１は、前板２０３と後板２０４と１対の側板２０５と底板２０６とからなるケーシング２０２と、ケーシング２０２の上部を覆うように装着された天板２０７とを有しており、その内部に、送風ファン２０８、熱交換器２０９等の機器が配置されている。ここで、天板２０７及びケーシング２０２の平面視における中心を中心Ｒとする。
【００２４】
１対の側板２０５及び後板２０６には空気吸入口２１０、２１１が設けられており、天板２０７には上方に向く空気吹出口２１２が設けられている。
天板２０７は、分割構造であり、本実施形態において、空気吹出口２１２を含む第１板２０７ａと、第１板２０７ａの側方に配置された第２板２０７ｂ及び第３板２０７ｃとから構成されている。そして、天板２０７には、第１実施形態と同様の形状の第１バイパス防止板２１３ａと第２バイパス防止板２１３ｂとからなるバイパス防止板２１３が形成されている。ここで、天板２０７の左側に形成された第１バイパス防止板２１３ａ及び第２バイパス防止板２１３ｂは、第２板２０７ｂに含まれている。同様に、天板２０７の右側に形成された第１バイパス防止板２１３ａ及び第２バイパス防止板２１３ｂは、第３板２０７ｃに含まれている。そして、第１バイパス防止板２１３ａと第２バイパス防止板２１３ｂとは、第１実施形態と同様に、天板１０７の平面視において中心Ｒに対して点対称の形状を有している。このため、第２板２０７ｂと第３板２０７ｃとは、バイパス防止板２１３ａ及び２１３ｂを含めて同一形状になっている。これにより、第２板２０７ｂ及び第３板２０７ｃが図４の装着方向と左右逆に装着されても、熱交換器２０９のバイパス防止機能を果たすことが可能である。
【００２５】
このように、室外ユニット２０１では、天板２０７を分割構造にするとともに、第２及び第３板２０７ｂ、２０７ｃをケーシング２０２に対して前後いずれの方向に装着した場合であっても、熱交換器２０９のバイパス防止機能を果たすことが可能な同一形状の部材にすることができる。これにより、例えば、室外ユニットの大型化に伴って天板を分割構造にする場合、天板の装着方向の制限をなくすことができるとともに、分割された部材の共通化を図ることができるため、室外ユニットの組立性を向上するとともに、天板を構成する各部材の加工等の手間を減らすことができる。
【００２６】
［他の実施形態］
以上、本発明の実施形態について図面に基づいて説明したが、具体的な構成は、これらの実施形態に限られるものではなく、発明の要旨を逸脱しない範囲で変更可能である。
（１）前記実施形態では、熱交換器の形状は平面視において略Ｕ字形状であったが、Ｌ字形状等の他の形状を有する熱交換器であってもよい。
【００２７】
（２）第２実施形態では、天板が３分割の分割構造であったが、天板の平面視の中心を前後方向に２分割にするような分割構造であってもよい。
（３）第２実施形態では、バイパス防止板が第２板及び第３板のみに形成されており第１板には形成されていないが、バイパス防止板の一部又は全部が第１板に形成されていてもよい。
【００２８】
【発明の効果】
以上の説明に述べたように、本発明によれば、以下の効果が得られる。
請求項１にかかる発明では、天板をケーシングに対してどの向きにも装着しても、バイパス防止板が熱交換器の形状に対応するように形成されており、熱交換器のバイパス防止機能を果たすことができるため、天板のケーシングに対する装着方向の制限がなくなり、室外ユニットの組立性が向上する。
【００２９】
請求項２にかかる発明では、平面視が略長方形状の天板及びケーシングを備えており、平面視において第１バイパス防止板と天板の中心に対して点対称の形状の第２バイパス防止板を備えているため、天板を平面視において反転させて、ケーシングに装着しても、バイパス防止板が熱交換器のバイパス防止機能を果たすことができるようになっている。これにより、天板の装着方向の制限がなくなり、室外ユニットの組立性が向上する。
【００３０】
請求項３にかかる発明では、平面視が略長方形状の天板及びケーシングを備えており、天板を平面視において第１方向に対して１８０度回転させて、ケーシングに装着しても、バイパス防止板が熱交換器の形状に対応するように形成されており、熱交換器のバイパス防止機能を果たすことができるため、天板の装着方向の制限がなくなり、室外ユニットの組立性が向上する。
【００３１】
請求項４にかかる発明では、バイパス防止板が側面視において熱交換器の上端部に重なることがないように形成されているため、天板をケーシングに対してどの向きに装着しても、バイパス防止板と熱交換器とが上下方向に干渉することがない。
【図面の簡単な説明】
【図１】従来の室外ユニットの正面図。
【図２】従来の室外ユニットの平面図。
【図３】本発明の第１実施形態の室外ユニットの平面図。
【図４】図３のＢ−Ｂ断面図。
【図５】本発明の第２実施形態の室外ユニットの平面図。
【符号の説明】
１０１、２０１　室外ユニット
１０２、２０２　ケーシング
１０７、２０７　天板
１０８、２０８　送風ファン
１０９、２０９　熱交換器
１１０、２１０　空気吸入口
１１１、２１１　空気吸入口
１１２、２１２　空気吹出口
１１３、２１３　バイパス防止板
１１３ａ、２１３ａ　第１バイパス防止板
１１３ｂ、２１３ｂ　第２バイパス防止板
【図１】
2004116835.tif 000003
【図２】
2004116835.tif 000004
【図３】
2004116835.tif 000005
【図４】
2004116835.tif 000006
【図５】
2004116835.tif 000007